(57)【特許請求の範囲】
【請求項１】
光源からの出射光を光記録媒体に収束させる対物レンズを保持するレンズホルダと、該レンズホルダを移動可能な状態で支持するレンズホルダ支持部材と、前記レンズホルダをフォーカシング方向またはトラッキング方向の少なくとも一方に駆動する磁気駆動回路と、前記レンズホルダ、前記レンズホルダ支持部材および前記磁気駆動回路が搭載されたフレームとを有する光ヘッド装置において、
前記レンズホルダ支持部材には、該レンズホルダ支持部材と前記フレームとの間に挟持されない位置に振動吸収用のダンパ手段が構成されており、
前記ダンパ手段は、平面形状が楕円形であることを特徴とする光ヘッド装置。
【請求項２】
請求項１において、前記ダンパ手段は、前記レンズホルダ支持部材に固着された弾性部材と、該弾性部材に固着された重り部材とを備えていることを特徴とする光ヘッド装置。
【請求項３】
請求項１または２において、前記ダンパ手段は、前記レンズホルダ支持部材の底壁の下面に固着され、
前記フレームには、前記レンズホルダ支持部材の底壁と対向する部分に、前記ダンパ手段が配置される開口が形成されていることを特徴とする光ヘッド装置。
【請求項４】
請求項３において、前記レンズホルダ支持部材は、前記レンズホルダに形成された軸孔に嵌まる支軸を備え、当該支軸は、前記レンズホルダ支持部材の底壁から直立し、前記ダンパ手段は、前記レンズホルダ支持部材の前記底壁のうち、前記支軸が直立する部分の下面に固着されていることを特徴とする光ヘッド装置。
【請求項５】
請求項４において、前記支軸は、下端部が前記レンズホルダ支持部材の底壁から下方に突出し、前記弾性部材は、前記レンズホルダ支持部材の底壁の下面に対して前記支軸の下端部を覆うように固着されていることを特徴とする光ヘッド装置。
【発明の詳細な説明】
【０００１】
【発明の属する技術分野】
本発明は、ＣＤ（コンパクトディスク）やＤＶＤ（デジタルバーサタイルディスク）など光記録媒体の再生等に用いられる光ヘッド装置に関するものである。さらに詳しくは、光ヘッド装置において、レンズホルダを保持するレンズホルダ支持部材の振動吸収構造に関するものである。
【０００２】
【従来の技術】
ＣＤやＤＶＤなどの光記録ディスクの再生に用いられる光ヘッド装置では、対物レンズを保持したレンズホルダをトラッキング方向およびフォーカシング方向に駆動して光記録ディスクから信号の再生を行なう。このような光ヘッド装置では、対物レンズを保持したレンズホルダと、このレンズホルダを対物レンズのトラッキング方向およびフォーカシング方向に駆動可能に支持したレンズホルダ支持部材と、レンズホルダを駆動する磁気駆動回路と、各種光学部品とが共通のフレームに搭載され、このフレームは、光記録ディスクからの情報再生時あるいは情報記録時に光記録ディスクの半径方向に移動するようになっている。レンズホルダ支持部材としては、レンズホルダをワイヤーによって支持した構造のもの、レンズホルダに形成した軸孔に嵌まる支軸によってレンズホルダを支持した軸摺動・回動構造のものがあるが、いずれのタイプであっても、レンズホルダ支持部材がフレームにねじなどによって連結されることにより、レンズホルダ、レンズホルダ支持部材および磁気駆動回路がフレーム上に搭載された状態にある。
【０００３】
このような光ヘッド装置では、レンズホルダを磁気駆動するときにその反作用によってレンズホルダ支持部材に発生する振動が、レンズホルダに伝わって対物レンズを振動させるとともに、レンズホルダ支持部材が搭載されたフレームにも伝わり、フレーム上に搭載された光学部品も振動させてしまう。また、外部からフレームに伝わってきた振動が、フレームに搭載されているレンズホルダ支持部材を介してレンズホルダに伝わって対物レンズを振動させてしまうこともある。これらの振動は、光ヘッド装置で情報再生あるいは情報記録を正確に行なうことの妨げになるので、好ましくない。
【０００４】
そこで、レンズホルダ支持部材とフレームとの間に緩衝材を挿入することにより、レンズホルダ支持部材で発生した振動、あるいはフレームからレンズホルダ支持部材に伝わろうとする振動を吸収するようにした技術が実公平７−２２７３８号に開示されている。これに開示の技術を軸摺動・回動型のヘッド装置に適用すると、概ね、図５に断面を模式的に示すような構成となる。
【０００５】
図５において、レンズホルダ支持部材５７は、対物レンズを保持するレンズホルダ４２をフォーカシング方向およびトラッキング方向に移動可能な状態に支持する支軸５０が底壁４９から直立している。このレンズホルダ支持部材５７は、底壁４９とフレーム２と間に緩衝材３０を挟んだ部分を連結部７３として、フレーム２に対してねじ１７、１８によって固定されている。従って、レンズホルダ支持部材５７で発生した振動、あるいはフレーム２からレンズホルダ支持部材５７に伝わろうとする振動は、緩衝材３０によって吸収される。
【０００６】
また、この状態で、緩衝材３０は、フレーム２とレンズホルダ支持部材５７との間に挟持され、かつ、その両側にねじ１７、１８が止められているので、ねじ１７、１８の締め付け具合によって、フレーム２に対するレンズホルダ支持部材５７の傾きを調整することができる。
【０００７】
【発明が解決しようとする課題】
しかしながら、図５に示す光ヘッド装置では、レンズホルダ支持部材５７とフレーム２との間に緩衝材３０が挟まれた構造になっているので、傾角調整用のねじ１７、１８の締め付け具合を変えると、緩衝材３０の厚みが変わってしまい、振動吸収能力が変わってしまう。また、緩衝材３０の効果的な位置は、レンズホルダ支持部材５７やフレーム２の形状によって異なるので、緩衝材３０の取り付け位置を設計段階で決定するのは困難である。さらに、緩衝材３０をレンズホルダ支持部材５７の底壁４９とフレーム２との間に挟持した構造にすると、緩衝材３０を挟み込んだ分、光ヘッド装置が厚くなってしまうという問題点もある。
【０００８】
以上の問題に鑑みて、本発明の課題は、レンズホルダ支持部材をフレームに搭載した光ヘッド装置において、装置本体の小型・薄型化を妨げることなく、情報再生あるいは情報記録の妨げになる振動を常に効果的に吸収することのできる構成を提供することにある。
【０００９】
【課題を解決するための手段】
上記課題を解決するため、本発明では、光源からの出射光を光記録媒体に収束させる対物レンズを保持するレンズホルダと、該レンズホルダを移動可能な状態で支持するレンズホルダ支持部材と、前記レンズホルダをフォーカシング方向またはトラッキング方向の少なくとも一方に駆動する磁気駆動回路と、前記レンズホルダ、前記レンズホルダ支持部材および前記磁気駆動回路が搭載されたフレームとを有する光ヘッド装置において、前記レンズホルダ支持部材には、該レンズホルダ支持部材と前記フレームとの間に挟持されない位置に振動吸収用のダンパ手段が構成されており、前記ダンパ手段は、平面形状が楕円形であることを特徴とする。
【００１０】
本発明では、レンズホルダ支持部材にダンパ手段が構成されているので、レンズホルダを駆動したときの反作用によってレンズホルダ支持部材が振動しても、この振動は、ダンパ手段によって吸収、減衰される。また、外部からフレームに伝わった振動がレンズホルダ支持部材に伝わったとしても、この振動もダンパ手段によって吸収、減衰される。従って、レンズホルダ支持部材の振動がレンズホルダに伝わって対物レンズが振動する事態を回避できる。さらに、レンズホルダ支持部材の振動がフレームに伝わって、フレームに搭載された光学部品が振動する事態も回避できる。それ故、光ヘッド装置は常に正確な情報再生あるいは情報記録を行なうことができる。
【００１１】
さらにまた、本発明において、ダンパ手段は、レンズホルダ支持部材とフレームとの間に挟持されない位置に配置されているので、レンズホルダ支持部材とフレームとの連結具合が変わってレンズホルダ支持部材とフレームとの間隔が狭まっても、ダンパ手段が変形することはない。また、ダンパ手段は、あくまでレンズホルダ支持部材に対して構成され、フレームから独立した状態にあるので、たとえフレームの形状が変わっても、振動吸収効果が変動しない。それ故、ダンパ手段は、フレームが設計変更されても、同一仕様のままで良好な振動吸収作用を発揮する。さらに、ダンパ手段は、フレームとの間に挟持された構成でないので、ダンパ手段の大きさがフレームの厚さに加算されて光ヘッド装置の小型化・薄型化を妨げるという問題も回避できる。
【００１２】
本発明において、前記ダンパ手段は、例えば、前記レンズホルダ支持部材に固着された弾性部材と、該弾性部材に固着された重り部材とを備えている。このように構成すると、ダンパ手段の形状を振動の方向に合わせて楕円形状にするなど、振動の形態によって最適構造のダンパ手段を容易に構成できる。
【００１３】
本発明において、前記ダンパ手段は、前記レンズホルダ支持部材の底壁の下面に固着され、前記フレームには、前記レンズホルダ支持部材の底壁と対向する部分に、前記ダンパ手段が配置される開口が形成されていることが好ましい。このように、フレームの開口内にダンパ手段を配置すると、フレームとダンパ手段とが重ならないので、ダンパ手段の厚さは、光ヘッド装置の厚さに加算されないことになる。それ故、光ヘッド装置の薄型化を図ることができる。
【００１４】
本発明において、前記レンズホルダ支持部材は、前記レンズホルダに形成された軸孔に嵌まる支軸を備え、当該支軸は、前記レンズホルダ支持部材の底壁から直立し、前記ダンパ手段は、前記レンズホルダ支持部材の前記底壁のうち、前記支軸が直立する部分の下面に固着されていることが好ましい。軸摺動・回動型の光ヘッド装置において、レンズホルダは、レンズホルダ支持部材の支軸に支持されているので、この支軸が支持されている底壁にダンパ手段を構成すれば、レンズホルダ支持部材からレンズホルダに伝わろうとする振動を効果的に吸収することができる。
【００１５】
本発明において、前記支軸は、下端部が前記レンズホルダ支持部材の底壁から下方に突出し、前記弾性部材は、前記レンズホルダ支持部材の底壁の下面に対して前記支軸の下端部を覆うように固着されていることが好ましい。軸摺動・回動型の光ヘッド装置において、レンズホルダは、レンズホルダ支持部材の支軸に支持されているので、この支軸に対して、直接、ダンパ手段を構成すれば、レンズホルダ支持部材からレンズホルダに伝わろうとする振動を効果的に吸収することができる。
【００１６】
【発明の実施の形態】
以下に、図面を参照して、本発明の実施の形態を説明する。以下に説明する光ヘッド装置は、基本的な構成が従来の構成と共通するので、共通する部分には同じ符号を付してある。また、各実施の形態の説明に先立って、各実施の形態で共通する構成を説明しておく。
【００１７】
（全体構成）
図１は、本発明が適用される光ヘッド装置の分解斜視図である。
【００１８】
図１に示すように、光ヘッド装置１は、ＣＤあるいはＤＶＤなどの光記録ディスク５（光記録媒体）に対する情報記録、情報再生を行うものであり、アルミニウムなどの金属からなるフレーム２上に、光源ユニット１１からの出射光Ｌを光記録ディスク５に収束させる対物レンズ４１をフォーカシング方向に移動可能およびトラッキング方向に回転可能に支持した軸摺動・回動型のアクチュエータ４が構成されている。フレーム２の両端部には、丸穴からなるガイド穴２１と、コの字形状に突き出したガイド部２２とが形成され、これらのガイド穴２１およびガイド部２２の各々に通されたガイド軸（図示せず）に沿って、光ヘッド装置１は、光記録ディスク５の半径方向であるラジアル方向に移動することができる。また、フレーム２には、光源ユニット１１や各種の光学素子を配置するための光学素子取付部２３、アクチュエータ４を配置するために開口するアクチュエータ取付部２４などが形成されている。
【００１９】
アクチュエータ４は、対物レンズ４１を保持するレンズホルダ４２と、レンズホルダ支持部材５７と、後述する磁気駆動回路とから構成されている。このレンズホルダ支持部材５７は、レンズホルダ４２に形成されている軸受け部材４４に嵌まる支軸５０を備えており、レンズホルダ４２をトラッキング方向およびフォーカシング方向に移動可能に支持している。
【００２０】
レンズホルダ支持部材５７は、略長方形の底壁４９と、底壁４９の四辺から垂直に直立した側壁５１〜５４を備えている。これらの側壁のうち、互いに平行に延びる側壁５１、５３の内周面には、周方向に分極着磁されたトラッキング用駆動マグネット５９、６０がそれぞれに接着固定されている。
【００２１】
底壁４９からは、トラッキング用駆動マグネット５９、６０が取り付けられた側壁５１、５３に対して平行に直立する一対の内壁５５、５６が形成されている。内壁５５、５６の内周面には、単極に着磁された面を内側に向けるフォーカシング用駆動マグネット６１、６２がそれぞれ接着固定されている。
【００２２】
また、側壁５３は、上縁から外側に向けて水平に折れ曲がってビス孔６８を備えた鍔部６７が形成され、側壁５４にも上縁から外側に向けて水平に折れ曲がってビス孔７０を備えた鍔部６９が形成されている。
【００２３】
また、一対の内壁５５、５６によって挟まれた底壁４９の中央部には、支軸５０が直立した状態に固定されている。
【００２４】
レンズホルダ４２は、円筒状の軸受け部４４と、この軸受け部４４の回りを囲む側面部４３とを備えている。軸受け部４４と側面部４３との間には、この軸受け部４４を挟む両側位置に一対の開口５８が形成されている。さらに、レンズホルダ４２の上面側には、外側に向けて薄く張り出すレンズ取付け部４８が形成され、この上に対物レンズ４１が接着固定されている。
【００２５】
このレンズホルダ４２において、軸受け部４４の内側に、レンズホルダ支持部材５７の底壁４９から直立した支軸５０が差し込まれている。従って、レンズホルダ４２は、支軸５０に沿ってその軸線方向（フォーカシング方向）に移動可能であるとともに、支軸５０の周方向（トラッキング方向）に回転することも可能である。
【００２６】
また、レンズホルダ４２の一対の開口５８の内側には、レンズホルダ支持部材５７の底壁４９から直立した一対の内壁５５、５６がそれぞれに差し込まれている。従って、レンズホルダ４２の軸受け部４４は、一対の内壁５５、５６に取り付けられたフォーカシング用駆動マグネット６１、６２の間に配置され、この軸受け部４４に対して、フォーカシング用駆動コイル４７が巻き付けられている。このようにして、フォーカシング用駆動コイル４７とフォーカシング用駆動マグネット６１、６２との間には、レンズホルダ４２を支軸５０に沿って上下方向（フォーカシング方向）に移動させるフォーカシング磁気駆動回路が構成されている。
【００２７】
また、レンズホルダ４２の外周側面４３の外周面には、トラッキング用駆動マグネット５９、６０と対峙するように一対のトラッキング用駆動コイル４５、４６が取り付けられている。このようにして、トラッキング用駆動コイル４５、４６とトラッキング用駆動マグネット５９、６０との間には、レンズホルダ４２を支軸５０の周り（トラッキング方向）に回転させるトラッキング磁気駆動回路が構成されている。
【００２８】
このように構成されたアクチュエータ４を、フレーム２のアクチュエータ取付部２４に搭載するときは、ホルダ支持部材５７の側壁５３、５４に形成された鍔部６７、６９とフレーム２との間にコイルばね１３、１４を圧縮した状態で挟んで、フレームの孔３１、３２からねじ１５、１６を通してビス孔６８、７０に止める。このねじ１５、１６の締め付け量を調整することにより、レンズホルダ支持部材５７のフレーム２に対する傾角調整を行なった後、側壁５１〜５４の外周面とアクチュエータ取付部２４の間を接着剤で数箇所固定する。
【００２９】
このように構成した光ヘッド装置１において、レンズホルダ支持部材５７で発生した振動、およびレンズホルダ支持部材５７に伝わってきた信号を吸収するための構造を図２、図３を参照して説明する。
【００３０】
図２は、本発明の実施の形態１に係る光ヘッド装置に用いたフレーム２に搭載されたアクチュエータ４を、図１のＩ−Ｉ´線に相当する位置で切断したときのレンズホルダ支持部材５７、レンズホルダ４２、フレーム２の配置を模式的に示す断面図である。図３（Ａ）、（Ｂ）はそれぞれフレーム２に搭載されたアクチュエータ４のレンズホルダ支持部材５７を模式的に示す底面図である。
【００３１】
図２に示すように、本形態の光ヘッド装置１において、レンズホルダ支持部材５７は、支軸５０の直立する底壁４９の下面４９１にダンパ機構３が構成されている。本形態において、ダンパ機構３は、クロロプレーンゴムなどの弾性体からなる板状の弾性部材３１と、真鍮などの金属からなる重り部材３２とから構成され、底壁４９の下面４９１に弾性部材３１の上面が接着固定され、かつ、この弾性部材３１の下面に重り部材３２の上面が接着固定されている。ここで、支軸５０の下端部５０１は、底壁４９の下面４９１で露出し、この露出している下端部５０１に弾性部材３１が接している。
【００３２】
このように構成したレンズホルダ支持部材５７において、図３（Ａ）に示すように、水平面内において、支軸５０および対物レンズ４１が位置する方向をＹ−Ｙ′方向とし、この方向に直交する方向をＸ−Ｘ′方向としたとき、Ｘ−Ｘ′方向よりもＹ−Ｙ′方向に大きな振動がレンズホルダ支持部材５７に発生する場合には、ダンパ機構３を構成する弾性部材３１および重り部材３２の平面形状を、Ｙ−Ｙ′方向に長軸を向ける楕円形状とする。
【００３３】
これに対して、図３（Ｂ）に示すように、レンズホルダ支持部材５７において、Ｙ−Ｙ′方向よりもＸ−Ｘ′方向に大きな振動がレンズホルダ支持部材５７に発生する場合には、ダンパ機構３を構成する弾性部材３１および重り部材３２の平面形状を、Ｘ−Ｘ′方向に長軸を向ける楕円形状とする。
【００３４】
また、本形態において、レンズホルダ支持部材５７は、図１に示すように、フレーム２のアクチュエータ取付部２４に配置されるが、本形態では、アクチュエータ取付部２４の底部は、完全な開口２４０になっている。
【００３５】
このため、レンズホルダ支持部材５７をフレーム２に搭載したとき、レンズホルダ支持部材５７の下面に構成したダンパ機構３は、フレーム２のアクチェータ取付部２４の底部に相当する開口２４０内に位置する。このため、ダ#ンパ機構３は、レンズホルダ支持部材５７とフレーム２との間に挟持されていないどころか、フレーム２と一切、接触しておらず、フレーム２から完全に独立した状態にある。
【００３６】
以上説明したように、本形態の光ヘッド装置１では、レンズホルダ支持部材５７にダンパ機構３が構成されているので、レンズホルダ４２を駆動したときの反作用によってレンズホルダ支持部材５７が振動しても、この振動は、ダンパ機構３によって吸収、減衰される。また、外部からフレーム２に伝わった振動がレンズホルダ支持部材５７に伝わったとしても、この振動もダンパ機構３によって吸収、減衰される。従って、レンズホルダ支持部材５７の振動がレンズホルダ４２に伝わって対物レンズ４１が振動する事態を回避できる。さらに、レンズホルダ支持部材５７の振動がフレーム２に伝わって、フレーム２に搭載された光学部品が振動する事態も回避できる。それ故、光ヘッド装置１は常に正確な情報再生あるいは情報記録を行なうことができる。
【００３７】
さらにまた、本形態において、ダンパ機構３は、レンズホルダ支持部材５７とフレーム２との間に挟持されない位置に配置されているので、例えば、傾角調整を行なった際などレンズホルダ支持部材５７とフレーム２との連結具合が変わって、レンズホルダ支持部材５７とフレーム２との間隔が狭まっても、ダンパ機構３に用いた弾性部材３１が変形することはない。また、ダンパ機構３は、あくまでレンズホルダ支持部材５７に対して構成され、フレーム２から独立した状態にあるので、たとえフレーム２の形状が変わっても、振動吸収効果が変動しない。それ故、ダンパ機構３は、フレーム２が設計変更されても、同一仕様のままで良好な振動吸収作用を発揮する。さらに、ダンパ機構３は、フレーム２の間に挟持された構成でないので、ダンパ機構３の大きさがフレーム２の厚さに加算されてしまって光ヘッド装置１の小型化・薄型化を妨げるという問題も回避できる。
【００３８】
また、本形態において、ダンパ機構３は、レンズホルダ支持部材５７に固着された弾性部材３１と、この弾性部材３１に固着された重り部材３２とから構成されているので、ダンパ機構３の形状を振動の方向に合わせて楕円形状にするなど、振動の形態によって最適構造のダンパ機構３を容易に構成できる。
【００３９】
さらに、本形態において、支軸５０が支持されている底壁４９にダンパ機構３が構成されているので、レンズホルダ支持部材５７からレンズホルダ４２に伝わろうとする振動を効果的に吸収することができる。
【００４０】
さらにまた、本形態では、レンズホルダ支持部材５７の底壁４９の下面４９１にダンパ機構３が形成されているといっても、このダンパ機構３は、フレーム３の開口２４０内に配置されているため、フレーム２とダンパ機構３とが重ならない。それ故、ダンパ機構３の厚さは、光ヘッド装置１の厚さに加算されないことになるので、光ヘッド装置１の薄型化を図ることができる。
【００４１】
［その他の実施形態］
図４は、その他の実施形態に係る光ヘッド装置において、フレームに搭載されたアクチュエータを、図１のＩ−Ｉ´線に相当する位置で切断したときのレンズホルダ支持部材、レンズホルダ、フレームの配置を模式的に示す断面図である。なお、図４に示す光ヘッド装置は、前記した形態と基本的な構成が共通するので、対応する部分には同一の符号を付して図示するとともに、それらの説明を省略する。
【００４２】
図４に示すように、本形態の光ヘッド装置１においても、レンズホルダ支持部材５７の底壁４９には、クロロプレーンゴムなどの弾性体からなる板状の弾性部材３１と、真鍮などの金属からなる重り部材３２とを備えるダンパ機構３が構成されている。
【００４３】
ここで、レンズホルダ支持部材５７の底壁４９には支軸５０が直立した状態にあるが、この支軸５０の下端部５０１は、底壁４９の下面４９１から下方に突出しており、この下端部５０１を覆うように弾性部材３１が底壁４９の下面４９１に接着固定されている。このように構成するにあたって、本形態では、弾性部材３１として、レンズホルダ支持部材５７の底壁４９から支軸５０の下端部５０１が突出している寸法よりも分厚いものが用いられている。
【００４４】
このように構成したレンズホルダ支持部材５７も、図１に示すように、フレーム２のアクチュエータ取付部２４に配置されるが、本形態では、アクチュエータ取付部２４の底部は、完全な開口２４０になっている。このため、レンズホルダ支持部材５７をフレーム２に搭載したとき、レンズホルダ支持部材５７の下面に構成したダンパ機構３は、フレーム２のアクチェータ取付部２４の底部に相当する開口２４０内に位置する。このため、ダンパ機構３は、レンズホルダ支持部材５７とフレーム２との間に挟持されていないどころか、フレーム２と一切、接触しておらず、フレーム２から完全に独立した状態にある。
【００４５】
従って、本形態の光ヘッド装置１でも、レンズホルダ支持部材５７で振動が発生しても、あるいはこのレンズホルダ支持部材５７に振動が伝わってきても、このような振動は、ダンパ機構３によって吸収、減衰される。従って、光ヘッド装置１は常に正確な情報再生あるいは情報記録を行なうことができる。また、ダンパ機構３は、レンズホルダ支持部材５７とフレーム２との間に挟持されない位置に配置されているので、レンズホルダ支持部材５７とフレーム２との間隔が狭まっても、ダンパ機構３に用いた弾性部材３１が変形することはないなど、図２などを参照して説明した光ヘッド装置１と同様な効果を奏する。
【００４６】
また、本形態の光ヘッド装置１のような軸摺動・回動型のものにおいて、レンズホルダ４２は、レンズホルダ支持部材５７の支軸５０に支持されているので、本形態のように、この支軸５０に対して、直接、ダンパ機構５０を構成すれば、レンズホルダ支持部材５７からレンズホルダ４２に伝わろうとする振動を効果的に吸収することができる。
【００４７】
【発明の効果】
以上説明したように、本発明の光ヘッド装置では、レンズホルダ支持部材にダンパ手段が構成されているので、レンズホルダ支持部材で発生した振動やレンズホルダ支持部材に伝わってきた振動はダンパ手段によって吸収、減衰される。それ故、光ヘッド装置は常に正確な情報再生あるいは情報記録を行なうことができる。また、ダンパ手段は、レンズホルダ支持部材とフレームとの間に挟持されない位置に配置されているので、レンズホルダ支持部材とフレームとの間隔が狭まっても、ダンパ手段が変形することはない。また、ダンパ手段は、あくまでレンズホルダ支持部材に対して構成され、フレームから独立した状態にあるので、たとえフレームの形状が変わっても、振動吸収効果が変動しない。それ故、ダンパ手段は、フレームが設計変更されても、同一仕様のままで良好な振動吸収作用を発揮する。さらに、ダンパ手段は、フレームとの間に挟持された構成でないので、ダンパ手段の大きさがフレームの厚さに加算されて光ヘッド装置の小型化・薄型化を妨げるという問題も回避できる。
【図面の簡単な説明】
【図１】本発明が適用される光ヘッド装置の分解斜視図である。
【図２】本発明の実施の形態１に係る光ヘッド装置に用いたフレーム２に搭載されたアクチュエータを、図１のＩ−Ｉ´線に相当する位置で切断したときのレンズホルダ支持部材、レンズホルダ、フレームの配置を模式的に示す断面図である。
【図３】（Ａ）、（Ｂ）はそれぞれフレーム２に搭載されたアクチュエータ４のレンズホルダ支持部材５７を模式的に示す底面図である。
【図４】本発明のその他の実施の形態に係る光ヘッド装置に用いたフレームに搭載されたアクチュエータを、図１のＩ−Ｉ´線に相当する位置で切断したときのレンズホルダ支持部材、レンズホルダ、フレームの配置を模式的に示す断面図である。
【図５】従来の光ヘッド装置のフレームに搭載されたアクチュエータ４を模式的に示す説明図である。
【符号の説明】
１  光ヘッド装置
２  フレーム
３  ダンパ手段
４  アクチュエータ
５  光記録ディスク
１１  光源ユニット
１３、１４  ばね
１５、１６  ねじ
３１  弾性部材
３２  重り部材
４１  対物レンズ
４２  レンズホルダ
４３  側面部
４４  軸受け部材
４５、４６  トラッキング用駆動コイル
４７  フォーカシング用駆動コイル
４９  底壁
５１、５３  側壁
５５、５６  内壁
５７  レンズホルダ支持部材
５９、６０  トラッキング用駆動マグネット
６１、６２  フォーカシング用駆動マグネット
【図１】
0003670559.tif 000002
【図２】
0003670559.tif 000003
【図３】
0003670559.tif 000004
【図４】
0003670559.tif 000005
【図５】
0003670559.tif 000006